(57)【要約】  マニュアルを熟読することなく、基本機能のみを使いやすい状態にすることが可能な携帯通信端末を提供する。  記憶装置２の基本モジュール２１はユーザにとって使いやすくカスタマイズされたＧＵＩのモードを示すシンプルモード用の基本モジュール２１１と、初期起動時に自分の使う機能のみを選択するためのＧＵＩのモードを示すカスタムモード用の基本モジュール２１２とを搭載している。出力装置３のメニュー表示画面では、基本モジュール２１で「シンプルモード」を選択した場合にシンプルモード用の基本モジュール２１１の機能メニューのみを表示し、基本モジュール２１で「カスタムモード」を選択した場合にカスタムモード用の基本モジュール２１２に加えて、カスタムモード用の基本モジュール２１２にて取捨選択された機能をメニュー画面に表示する。
2007072664.tif 000002
【特許請求の範囲】
【請求項１】
各種機能を搭載し、それらの機能のメニューを画面上に表示自在な携帯通信端末であって、
予め設定された特定機能のみのメニューを前記画面上に表示するためのシンプルモード用の基本モジュールと外部からの設定で取捨選択された機能のみのメニューを前記画面上に表示するためのカスタムモード用の基本モジュールとを格納する記憶装置と、初期起動時に前記シンプルモードと前記カスタムモードとのいずれかを選択するための画面を表示する手段と、当該画面上で選択されたモードに対応する基本モジュールを前記記憶装置から読出して起動する手段とを有することを特徴とする携帯通信端末。
【請求項２】
前記特定機能は、少なくとも通話機能と電子メール機能とカメラ機能とを含むことを特徴とする請求項１記載の携帯通信端末。
【請求項３】
前記通話機能及び前記電子メール機能は、予め蓄積された宛て先リストから前記宛て先の読出しを容易に行えるように設定された「かんたん通話」機能及び「かんたんメール」機能であることを特徴とする請求項２記載の携帯通信端末。
【請求項４】
前記カメラ機能は、少なくとも撮影時に必要なＡＦ（Ａｕｔｏ  Ｆｏｃｕｓｉｎｇ）、ホワイトバランス、コントラスト、フラッシュ、画像サイズを予め設定された所定値に設定して撮影機能を起動する「かんたんカメラ」機能であることを特徴とする請求項２または請求項３記載の携帯通信端末。
【請求項５】
前記初期起動時に選択された使用者毎のメニューをデフォルトで前記画面に表示する手段を含むことを特徴とする請求項１から請求項４のいずれか記載の携帯通信端末。
【請求項６】
前記カスタムモード用の基本モジュールは、前記外部からの設定で取捨選択された機能のみのメニュー及びすべての機能のメニューのうちの少なくとも一方を前記画面上に表示する設定を自在としたことを特徴とする請求項１から請求項５のいずれか記載の携帯通信端末。
【請求項７】
十字キー中央の決定ボタンを動かすことで前記画面上に現れるポインタを移動自在とするポインタ機能の起動時に前記初期起動時に選択された使用者毎のメニューを同時に表示する手段を含むことを特徴とする請求項１から請求項６のいずれか記載の携帯通信端末。
【請求項８】
着信時に前記ポインタ機能を用いた指示に応じて通話可能とする手段を含むことを特徴とする請求項７記載の携帯通信端末。
【請求項９】
通話時に前記ポインタ機能を用いた指示に応じて音量設定を行う手段を含むことを特徴とする請求項７または請求項８記載の携帯通信端末。
【請求項１０】
各種機能を搭載し、それらの機能のメニューを画面上に表示自在な携帯通信端末に用いる機能メニュー表示方法であって、前記携帯通信端末が、予め設定された特定機能のみのメニューを前記画面上に表示するためのシンプルモードと外部からの設定で取捨選択された機能のみのメニューを前記画面上に表示するためのカスタムモードのいずれかを選択するための画面を初期起動時に表示する処理と、当該画面上で選択されたモードに対応する基本モジュールを前記シンプルモード用の基本モジュール及び前記カスタムモード用の基本モジュールを格納する記憶装置から読出して起動する処理とを実行することを特徴とする機能メニュー表示方法。
【請求項１１】
前記特定機能が、少なくとも通話機能と電子メール機能とカメラ機能とを含むことを特徴とする請求項１０記載の機能メニュー表示方法。
【請求項１２】
前記通話機能及び前記電子メール機能が、予め蓄積された宛て先リストから前記宛て先の読出しを容易に行えるように設定された「かんたん通話」機能及び「かんたんメール」機能であることを特徴とする請求項１１記載の機能メニュー表示方法。
【請求項１３】
前記カメラ機能が、少なくとも撮影時に必要なＡＦ（Ａｕｔｏ  Ｆｏｃｕｓｉｎｇ）、ホワイトバランス、コントラスト、フラッシュ、画像サイズを予め設定された所定値に設定して撮影機能を起動する「かんたんカメラ」機能であることを特徴とする請求項１１または請求項１２記載の機能メニュー表示方法。
【請求項１４】
前記携帯通信端末が、前記初期起動時に選択された使用者毎のメニューをデフォルトで前記画面に表示する処理を実行することを特徴とする請求項１０から請求項１３のいずれか記載の機能メニュー表示方法。
【請求項１５】
前記カスタムモード用の基本モジュールは、前記外部からの設定で取捨選択された機能のみのメニュー及びすべての機能のメニューのうちの少なくとも一方を前記画面上に表示する設定を自在としたことを特徴とする請求項１０から請求項１４のいずれか記載の機能メニュー表示方法。
【請求項１６】
前記携帯通信端末が、十字キー中央の決定ボタンを動かすことで前記画面上に現れるポインタを移動自在とするポインタ機能の起動時に前記初期起動時に選択された使用者毎のメニューを同時に表示する処理を実行することを特徴とする請求項１０から請求項１５のいずれか記載の機能メニュー表示方法。
【請求項１７】
前記携帯通信端末が、着信時に前記ポインタ機能を用いた指示に応じて通話可能とする処理を実行することを特徴とする請求項１６記載の機能メニュー表示方法。
【請求項１８】
前記携帯通信端末が、通話時に前記ポインタ機能を用いた指示に応じて音量設定を行う処理を実行することを特徴とする請求項１６または請求項１７記載の機能メニュー表示方法。
【請求項１９】
各種機能を搭載し、それらの機能のメニューを画面上に表示自在な携帯通信端末に用いる機能メニュー表示方法のプログラムであって、前記携帯通信端末のコンピュータに、予め設定された特定機能のみのメニューを前記画面上に表示するためのシンプルモードと外部からの設定で取捨選択された機能のみのメニューを前記画面上に表示するためのカスタムモードのいずれかを選択するための画面を初期起動時に表示する処理と、当該画面上で選択されたモードに対応する基本モジュールを前記シンプルモード用の基本モジュール及び前記カスタムモード用の基本モジュールを格納する記憶装置から読出して起動する処理とを実行させるためのプログラム。
【発明の詳細な説明】
【技術分野】
【０００１】
本発明は携帯通信端末及びそれに用いる機能メニュー表示方法並びにそのプログラムに関し、特に機能選択に関するメニューカスタム機能を持つ携帯通信端末に関する。
【背景技術】
【０００２】
近年、携帯電話機等の携帯通信端末においては、インタネット閲覧のためのブラウザ機能、ディジタルカメラ機能、電子メールの送受信機能、音楽再生機能等が搭載されるようになっており、それらの機能に関する項目を選択するためのメニューも搭載されている。【０００３】
しかしながら、従来の携帯通信端末では、搭載する機能が多岐にわたるため、メニューの内容も複雑化されている。そのため、いくつかの携帯電話機では、「シンプルモード」を搭載し、搭載しているすべての機能の配置換えを行うことで、主観的に「見やすい」、「使いやすい」ようにメニュー表示を変更させるものがある。【０００４】
携帯電話機のユーザにとっては、基本機能のみを使用する場合に、多すぎる機能がその使用時に混乱を招くのみであり、携帯電話機の提供側が「使いやすい」ようにと作成したメニューも使われない部分が大半を占めることになる。【０００５】
この種のメニュー表示については、ユーザが頻繁に使用するメニュー項目やデータを少ない操作で選択できるように自動的にカスタマイズする方法が提案されている（例えば、特許文献１参照）。この方法では、メニュー項目の直下階層でメニューの使用頻度を計測し、使用頻度の高いものを高階層に表示している。【０００６】
また、他のメニュー表示としては、メニュー要素のパラメータをロック／ロック解除し、それをメニューオプションの画面に表示／非表示する方法も提案されている（例えば、特許文献２参照）。この方法では、自動モード、手動モードを搭載し、自動モード選択時に使用頻度の少ない（多い）パラメータのロック（ロック解除）を自動で行っている。
【特許文献１】特開２００４−２８７７０２号公報
【特許文献２】特開平１０−１６１８３２号公報
【発明の開示】
【発明が解決しようとする課題】
【０００７】
現在、携帯電話機等の携帯通信端末で実現されている、ユーザにとって使いやすくカスタマイズされたＧＵＩ（Ｇｒａｐｈｉｃａｌ  Ｕｓｅｒ  Ｉｎｔｅｒｆａｃｅ）（以下、「シンプルモード」とする）は、メニューを表示する際に各種機能の表示をわかり易く整理するものであり、すべての機能を表示することに変わりなく、明らかに万人に使いやすいシンプルなものではない。【０００８】
また、従来のメニュー表示としては、ユーザの使用状況に合わせて、使用頻度の高い機能を優先してメニューに表示させる技術があるが、メニューを階層化し、高い階層に使用頻度の高い機能を表示させるため、階層化するのに余計なメモリを使用してしまう。【０００９】
携帯通信端末の機種によっては、ユーザ毎に自分専用のショートカットメニューを作成できるものもあるが、そういったオリジナルメニューを作成すること自体が特定の人にとっては非常に難しく、便利なショートカットの機能も使われずに埋没してしまう。【００１０】
つまり、従来のシンプルモードでは、ユーザが全く使わない機能も表示してしまうという問題、使いやすく、便利なカスタマイズ機能も携帯通信端末の基本機能のみを使用するユーザにとっては意味がないという問題がある。【００１１】
上記の特許文献１に記載のメニュー表示の場合には、階層を確保するメモリを浪費する上、基本機能のみを使用するユーザにとってはほとんど意味をなさない。逆に、この機能を実装しないことによって、搭載メモリ量を削減することができ、構造的／価格的にも改善が可能となる。【００１２】
また、上記の特許文献２に記載のメニュー表示の場合には、例えば、携帯電話機専用に開発されたｗｅｂブラウジング機能の場合、そのｗｅｂブラウジング機能の「ブックマーク」を頻繁に使用するユーザにとっては、機能のオプションを開くと、その「ブックマーク」のロックが解除され、それほど使用しないユーザにとっては、機能のオプションを開こうとしても「ブックマーク」がロックされるといったものである。【００１３】
この場合には、手動で表示させない設定も可能だが、基本機能のみを使用するユーザに手動で設定させることは困難である。あるユーザにとっては、ｗｅｂブラウジング機能それ自体を必要としないため、機能のオプションをロックするだけではなく、ｗｅｂブラウジング機能そのものをＯＦＦに設定できることが望ましい。【００１４】
そこで、本発明の目的は上記の問題点を解消し、マニュアルを熟読することなく、基本機能のみを使いやすい状態にすることができる携帯通信端末及びそれに用いる機能メニュー表示方法並びにそのプログラムを提供することにある。
【課題を解決するための手段】
【００１５】
本発明による携帯通信端末は、各種機能を搭載し、それらの機能のメニューを画面上に表示自在な携帯通信端末であって、
予め設定された特定機能のみのメニューを前記画面上に表示するためのシンプルモード用の基本モジュールと外部からの設定で取捨選択された機能のみのメニューを前記画面上に表示するためのカスタムモード用の基本モジュールとを格納する記憶装置と、初期起動時に前記シンプルモードと前記カスタムモードとのいずれかを選択するための画面を表示する手段と、当該画面上で選択されたモードに対応する基本モジュールを前記記憶装置から読出して起動する手段とを備えている。【００１６】
本発明による機能メニュー表示方法は、各種機能を搭載し、それらの機能のメニューを画面上に表示自在な携帯通信端末に用いる機能メニュー表示方法であって、前記携帯通信端末が、予め設定された特定機能のみのメニューを前記画面上に表示するためのシンプルモードと外部からの設定で取捨選択された機能のみのメニューを前記画面上に表示するためのカスタムモードのいずれかを選択するための画面を初期起動時に表示する処理と、当該画面上で選択されたモードに対応する基本モジュールを前記シンプルモード用の基本モジュール及び前記カスタムモード用の基本モジュールを格納する記憶装置から読出して起動する処理とを実行している。【００１７】
本発明による機能メニュー表示方法のプログラムは、各種機能を搭載し、それらの機能のメニューを画面上に表示自在な携帯通信端末に用いる機能メニュー表示方法のプログラムであって、前記携帯通信端末のコンピュータに、予め設定された特定機能のみのメニューを前記画面上に表示するためのシンプルモードと外部からの設定で取捨選択された機能のみのメニューを前記画面上に表示するためのカスタムモードのいずれかを選択するための画面を初期起動時に表示する処理と、当該画面上で選択されたモードに対応する基本モジュールを前記シンプルモード用の基本モジュール及び前記カスタムモード用の基本モジュールを格納する記憶装置から読出して起動する処理とを実行させている。【００１８】
すなわち、本発明の携帯通信端末は、特定の機能を取捨選択することによって、ユーザにとって最も使いやすいＧＵＩ（Ｇｒａｐｈｉｃａｌ  Ｕｓｅｒ  Ｉｎｔｅｒｆａｃｅ：グラフィカルユーザインタフェース）を提供することを特徴とする。【００１９】
つまり、本発明の携帯通信端末では、初期起動時の設定でシンプルモードを選択することによって、基本モジュールに示されるように自動で通話、電子メール、カメラ各々の設定を、それぞれ「かんたん通話」、「かんたんメール」、「かんたんカメラ」に設定している。【００２０】
ここで、「かんたん通話」や「かんたんメール」とは、ＧＵＩや音声入力等を用いてアドレス帳から宛て先の読出しを容易に行えるように設定したものである。また、「かんたんカメラ」とは、カメラ機能に必要なＡＦ（Ａｕｔｏ  Ｆｏｃｕｓｉｎｇ）、ホワイトバランス、コントラスト、フラッシュや画像サイズ等をユーザが設定することなく、自動で最適な写真を撮ることができるようにする機能である。【００２１】
「かんたんカメラ」設定時には、カメラを起動すると、メニューボタンやＡＦ、ホワイトバランス、コントラスト、フラッシュや画像サイズ等の各種機能設定の表示が現れず、画面にファインダとしての画像と、「撮影」ボタンのみが表示される。使い方がよくわからないが、とりあえず写真を撮りたい、というユーザを対象としたもので、ユーザは特殊な設定なしで、ストレスなくきれいな写真を撮ることが可能となる。【００２２】
以下、ユーザにとって使いやすくカスタマイズされたＧＵＩを「シンプルモード」とする。この「シンプルモード」を選択することによって、ユーザのメニュー画面に表示されるものは、通話、メール、カメラのみとなり、詳細な使用方法を必要としないユーザにとっても、非常に容易に設定を行うことが可能となる。また、本発明の携帯通信端末では、使用モジュールをメニューに表示する設定となっており、特別に自分のメニュー設定を保存するメモリを確保する必要がない。【００２３】
さらに、本発明の携帯通信端末では、特定の機能を頻繁に使うユーザも、初期起動時に自分の使う機能のみを選択するモード（以下、「カスタムモード」とする）を選択することで、オリジナルメニューを作成するわずらわしさを感じることなく、ユーザ毎の最も使いやすいメニューが実現可能となる。「カスタムモード」では、すべての機能をメニューに表示することも可能である。【００２４】
「シンプルモード」は最初から通話、メール、カメラの機能のみを搭載するメニューを表示させ、「カスタムモード」はユーザが機能を取捨選択したメニュー表示を行うことになるため、従来のように特定の人のみに向けたメニュー画面でなく、すべての人に適応したメニューを提供することが可能となる。【００２５】
これによって、本発明の携帯通信端末では、初期起動時に「シンプルモード」や「カスタムモード」等の使用モードを選択することで、基本機能のみを使用するユーザから、メニューをカスタマイズして基本機能のみ使用したいユーザ、全機能を表示させて使用したいユーザまで、すべてのユーザに対応可能な機能メニューを実現することが可能となる。
【発明の効果】
【００２６】
本発明は、上記のような構成及び動作とすることで、マニュアルを熟読することなく、基本機能のみを使いやすい状態にすることができるという効果が得られる。
【発明を実施するための最良の形態】
【００２７】
次に、本発明の実施例について図面を参照して説明する。図１は本発明の一実施例による携帯通信端末の構成例を示すブロック図である。図１において、本発明の一実施例による携帯通信端末は、テンキー、メニューボタン、十字キー等の入力装置１と、通話と電子メールとカメラとの３機能を合わせ持つ基本モジュール２１と、拡張モジュール２２とを併せ持つ記憶装置２と、それら使用するモジュールをメニューとして表示するディスプレイ等の出力装置３とを含んで構成されている。【００２８】
記憶装置２の基本モジュール２１はシンプルモード用の基本モジュール２１１と、カスタムモード用の基本モジュール２１２とを搭載している。ここで、「シンプルモード」とはユーザにとって使いやすくカスタマイズされたＧＵＩ（Ｇｒａｐｈｉｃａｌ  Ｕｓｅｒ  Ｉｎｔｅｒｆａｃｅ：グラフィカルユーザインタフェース）のモードであり、「カスタムモード」とは初期起動時に自分の使う機能のみを選択するためのＧＵＩのモードである。【００２９】
携帯通信端末の出力装置３のメニュー表示画面では、基本モジュール２１で「シンプルモード」を選択した場合にシンプルモード用の基本モジュール２１１の機能メニューのみを表示し、基本モジュール２１で「カスタムモード」を選択した場合にカスタムモード用の基本モジュール２１２に加えて、カスタムモード用の基本モジュール２１２にて取捨選択された機能をメニュー画面に表示する。【００３０】
図２は本発明の一実施例による携帯通信端末の具体的な構成例を示すブロック図である。図２において、携帯通信端末１０は入力装置１と、記憶装置２と、出力装置３と、アンテナ１１と、図示せぬ基地局との信号の授受をアンテナ１１を通して無線にて行う無線部１２と、各部を制御する制御部１３と、撮影素子を含むカメラ部１８とから構成されている。入力装置１はテンキー、メニューボタン、十字キー等のキー入力部１４と、音声を入力するマイク１５とを備えている。記憶装置２は上記の基本モジュール２１と、拡張モジュール２２とを備え、制御部１３が実行するプログラムを格納している。出力装置３はディスプレイ等の表示部１６と、音声を出力するスピーカ１７とを備えている。【００３１】
図３は図１の基本モジュール２１の具体例を示すブロック図である。図３において、基本モジュール２１のシンプルモード用の基本モジュール２１１には、「かんたん通話」機能、「かんたんメール」機能、「かんたんカメラ」機能があり、基本モジュール２１のカスタムモード用の基本モジュール２１２には、「通常通話」機能、「通常メール」機能、「通常カメラ」機能がある。【００３２】
ここで、「かんたん通話」機能や「かんたんメール」機能とは、ＧＵＩや音声入力等を用いてアドレス帳から宛て先の読出しを容易に行えるようにする機能である。また、「かんたんカメラ」機能とは、カメラ機能に必要なＡＦ（Ａｕｔｏ  Ｆｏｃｕｓｉｎｇ）、ホワイトバランス、コントラスト、フラッシュや画像サイズ等をユーザが設定することなく、自動で最適な写真を撮ることができるようにする機能である。【００３３】
一方、拡張モジュール２２には、携帯電話機等の携帯通信端末１０用に作成されたｗｅｂブラウジング機能、携帯通信端末１０用に作成されたアプリケーションソフトウェアで実現されるアプリ機能、音楽を再生するための音楽再生機能、パーソナルコンピュータと同様にインタネットを閲覧可能とするフルブラウザ機能等がある。【００３４】
したがって、携帯通信端末１０のメニュー表示画面では、基本モジュール２１で「シンプルモード」を選択した時に、「かんたん通話」機能、「かんたんメール」機能、「かんたんカメラ」機能を表示する。また、このメニュー表示画面では、基本モジュール２１で「カスタムモード」を選択した時に、「通常通話」機能、「通常メール」機能、「通常カメラ」機能の他に拡張モジュール２２にて取捨選択した機能のみを表示することができる。【００３５】
図４は本発明の一実施例による拡張モジュール２２における使用機能の取捨選択を示す図であり、図５は本発明の一実施例による携帯通信端末１０の初期起動時のメニュー表示処理を示すフロートチャートであり、図６は本発明の一実施例による携帯通信端末１０の使用モード選択処理を示すフロートチャートである。【００３６】
図７は本発明の一実施例による携帯通信端末１０のメニュー表示処理を示す図であり、図８は本発明の一実施例による携帯通信端末１０の再設定時のメニュー表示処理を示すフロートチャートであり、図９は本発明の一実施例による携帯通信端末１０の「かんたん通話」機能を説明するための図である。これら図１〜図９を参照して本発明の一実施例による携帯通信端末１０のメニュー表示について説明する。尚、図５と図６と図８と示す処理は制御部１３が記憶装置２に格納されたプログラムを実行することで実現される。【００３７】
携帯通信端末１０は初期起動時に（図５ステップＳ１）、ユーザに合わせて使用モードの選択（基本モジュール２１の選択）を行う（図５ステップＳ２）。携帯通信端末１０はユーザによって「シンプルモード」が選択された場合、メニュー画面にシンプルモード用の基本モジュール２１１の「かんたん通話」機能、「かんたんメール」機能、「かんたんカメラ」機能を表示するので（図５ステップＳ３）、基本機能である通話、メール、カメラのみを使用する際に、マニュアルを熟読せずに、それらを容易に使用することができる。【００３８】
つまり、「シンプルモード」の選択時には、メニュー画面に「かんたん通話」機能（例えば、図７の受話器の図柄で表示）、「かんたんメール」機能（例えば、図７の封筒の図柄で表示）、「かんたんカメラ」機能（例えば、図７のカメラの図柄で表示）の３機能のみを表示させ、拡張可能な機能を表示させないことによって、ユーザが必要最小限のメニュー構成で携帯通信端末１０を利用することができる。【００３９】
また、携帯通信端末１０はユーザによって「カスタムモード」が選択された場合、メニュー画面にカスタムモード用の基本モジュール２１２の「通常通話」機能、「通常メール」機能、「通常カメラ」機能を表示するので（図５ステップＳ４）、それらの各機能を使用することができる。【００４０】
続いて、携帯通信端末１０はカスタムモジュールを選択するか否かのメッセージを表示して問い合わせることで（図５ステップＳ５）、ユーザ毎に使いたい機能を拡張モジュール２２から取捨選択させたり（図５ステップＳ７）、全機能をメニュー画面に表示したりする（図５ステップＳ６）。使用機能を選択する場合には、選択した機能のみをメニュー画面に表示させることで、ユーザ毎に最も使いやすいシンプルなメニュー画面を実現することができる。【００４１】
例えば、図４に示すように、拡張モジュール２２の使用機能を選択する場合、「ｗｅｂブラウジング機能」２２１０、「アプリ機能」２２１１、「フルブラウザ機能」２２１３は使用中（メニュー表示あり）となり、「音楽再生機能」２２１２は未使用中（メニュー表示なし）となる。【００４２】
携帯通信端末１０は使用モードの選択時に（図６ステップＳ１１）、ユーザに合わせて使用モードの選択（基本モジュール２１の選択）を行う（図６ステップＳ１２）。携帯通信端末１０はユーザによって「シンプルモード」が選択された場合、メニュー画面にシンプルモード用の基本モジュール２１１の「かんたん通話」機能、「かんたんメール」機能、「かんたんカメラ」機能を表示するので（図６ステップＳ１３）、基本機能である通話、メール、カメラのみを使用する際に、マニュアルを熟読せずに、それらを容易に使用することができる。【００４３】
つまり、「シンプルモード」の選択時には、メニュー画面に「かんたん通話」機能（例えば、図７の受話器の図柄で表示）、「かんたんメール」機能（例えば、図７の封筒の図柄で表示）、「かんたんカメラ」機能（例えば、図７のカメラの図柄で表示）の３機能のみを表示させ、拡張可能な機能を表示させないことによって、ユーザが必要最小限のメニュー構成で携帯通信端末１０を利用することができる。【００４４】
また、携帯通信端末１０はユーザによって「カスタムモード」が選択された場合、メニュー画面にカスタムモード用の基本モジュール２１２の「通常通話」機能、「通常メール」機能、「通常カメラ」機能を表示するので（図６ステップＳ１４）、それらの各機能を使用することができる。【００４５】
続いて、携帯通信端末１０はカスタムモジュールを選択するか否かのメッセージを表示して問い合わせることで（図６ステップＳ１５）、ユーザ毎に使いたい機能を拡張モジュール２２から取捨選択させたり（図６ステップＳ１７）、全機能をメニュー画面に表示したりする（図６ステップＳ１６）。使用機能を選択する場合には、選択した機能のみをメニュー画面に表示させることで、ユーザ毎に最も使いやすいシンプルなメニュー画面を実現することができる。【００４６】
図７において、メニュー画面３３は待ち受け画面３０が表示中に、ユーザがメニューボタンを押すことによって表示され、例えば、「かんたんメール」機能が選択されると、メニュー画面３１のように、封筒の図柄が一番手前に表示される。同様に、「かんたん通話」機能が選択されると、メニュー画面３３のように、受話器の図柄が一番手前に表示される。さらに、「かんたんカメラ」機能が選択されると、メニュー画面３４のように、カメラの図柄が一番手前に表示される。【００４７】
図７では、「シンプルモード」が選択された場合のメニュー画面を示しているが、「カスタムモード」が選択された場合のメニュー画面には基本モジュール２１からなる「通話」、「メール」、「カメラ」の３機能のほかに、拡張モジュール２２の使用機能選択画面（上記の図５のステップＳ７で表示される画面）で選択された機能も表示される。【００４８】
メニュー画面を、ポインタ機能（十字キー中央の決定ボタンを動かすことによって、携帯通信端末の表示画面に現れるポインタをマウスのように動かせる入力インタフェースの機能）等の選択デバイスと連携させて起動させることも可能であり、待ち受け画面３０を表示中にポインタ機能等の選択デバイスを起動すると、メニュー画面３３の機能選択画面が表示される。【００４９】
また、待ち受け画面３０からメニューボタンを押し、メニュー画面３１を表示中にポインタ機能等の選択デバイスを起動した際にも、メニュー画面３４に示すように、ポインタ機能を用いてメニューを選択することが可能である。【００５０】
メニュー画面では、十字キー若しくはポインタ機能等の選択デバイスによって選択中のアイコンが大きく表示され、万人にわかりやすい作りとなっており、通常機能のみを利用するユーザにも直感的にわかり易くなっている。尚、ポインタ機能と連携して起動される機能はオプションでＯＮ／ＯＦＦ設定が可能である。【００５１】
メニュー画面表示中にメニュー画面３１、メニュー画面３３のように右下に機能設定ボタン（スパナの図柄）を設置しており、機能設定ボタンを選択することによって、図８に示す画面を立ち上げる。図８では使用モードや使用機能の再設定を行い、誤作動をさけるためにモードの設定、機能の設定共に携帯通信端末１０の暗証番号を入力後に設定することができる。【００５２】
携帯通信端末１０はメニュー画面で再設定を選択した時に（図８ステップＳ２１）、使用モードの変更を行うかを判断する（図８ステップＳ２２）。携帯通信端末１０はユーザによって使用モードを変更しないが選択された場合、使用機能を変更するかを判断する（図８ステップＳ２３）。携帯通信端末１０はユーザによって使用機能を変更しないが選択された場合、何も変更せずに（図８ステップＳ３１）、処理を終了する。【００５３】
携帯通信端末１０はユーザによって使用機能の変更が選択された場合、暗証番号の入力後に（図８ステップＳ２４）、現在「シンプルモード」で「かんたんカメラ」機能、「かんたんメール」機能等を利用しているか（図８ステップＳ２５）、現在「カスタムモード」で「通常カメラ」機能、「通常メール」機能等を利用しているか（図８ステップＳ２６）に応じて図５のステップＳ７で表示される使用機能選択画面へと移行する（図８ステップＳ２７）。【００５４】
一方、携帯通信端末１０はユーザによって使用モードの変更が選択された場合、「現在の設定はリセットされます。よろしいですか」のメッセージを表示して確認を行い（図８ステップＳ２８）、ユーザによって「いいえ」が選択されると、何も変更せずに（図８ステップＳ３１）、処理を終了する。【００５５】
携帯通信端末１０はユーザによって「はい」が選択されると、暗証番号の入力後に（図８ステップＳ２９）、図６のステップＳ１１で表示される使用モード選択画面へと移行する（図８ステップＳ３０）。【００５６】
本実施例では、上述した初期起動時に「シンプルモード」を選択すると、拡張モジュール２２を使用することができない。但し、ユーザが「シンプルモード」を使い慣れてきて、機能を追加したいという場合のために、「シンプルモード」で基本モジュール２１を使用しつつ、拡張機能にて使用したい機能を追加選択することが可能になっている。【００５７】
これは、「シンプルモード」として使用機能を限定することで、多機能を使わないユーザにとってもわかりやすいメニューを実現しているが、その一方で、拡張性に欠けることになってしまうため、「シンプルモード」に慣れてきたユーザが使用機能を拡張したいと感じた時にも機能拡張を実現する機能をも付加することを示している．【００５８】
図５に示す初期起動時の設定処理で「シンプルモード」を選択することによって、図３の基本モジュール２１に示されるように自動で通話、メール、カメラ設定がそれぞれ「かんたん通話」機能、「かんたんメール」機能、「かんたんカメラ」機能に設定される。【００５９】
「かんたん通話」機能及び「かんたんメール」機能とは、上述したように、ＧＵＩや音声入力等を用いてアドレス帳から宛て先の読出しを容易に行えるように設定したものである。図９の４１に「かんたん通話」設定時の着信による表示画面の一例を示し、４２に「かんたん通話」で通話中の表示画面の一例を示し、４３に「かんたん通話」の発信時の表示画面の一例を示している。【００６０】
また、「かんたんカメラ」機能とは、上述したように、カメラ機能に必要なＡＦ、ホワイトバランス、コントラスト、フラッシュや画像サイズ等をユーザが設定することなく、自動で最適な写真を撮ることができる機能である。【００６１】
カメラ部１８を起動すると、メニューボタンやＡＦ、ホワイトバランス、コントラスト、フラッシュや画像サイズ等の各種機能設定表示は現れず、画面にはファインダとしての画像と、「撮影」ボタンのみが表示される。使い方がよくわからないが、とりあえず写真を撮りたい、というユーザを対象としたもので、ユーザは特殊な設定なしで、ストレスなくきれいな写真を撮ることができる。【００６２】
「シンプルモード」を選択することによって、ユーザのメニュー画面に表示されるものは、図７に示すメニュー画面３１，３２，３４のように、通話、メール、カメラのみとなり、詳細な使用方法を必要としないユーザにとっても、非常に容易な設定となる。図４に示すように、使用モジュールはメニューに表示される設定となっており、特別に自分のメニュー設定を保存するメモリを確保する必要がない。【００６３】
また、特定の機能を頻繁に使うユーザも、初期起動時に自分の使う機能のみを選択する「カスタムモード」を選択することで、オリジナルメニューを作成するわずらわしさを感じることなく、ユーザ毎の最も使いやすいメニューを実現することができる。「カスタムモード」では、すべての機能をメニューに表示することも可能である。【００６４】
「シンプルモード」は最初から通話、メール、カメラの機能のみを搭載するメニューを表示させ、「カスタムモード」は機能を取捨選択したメニュー表示を行うことになるため、従来のように特定の人のみに向けたメニュー画面でなく、すべての人に適応したメニューを提供することができる。【００６５】
このように、本実施例では、初期起動時に使用モードを選択することで、基本機能のみを使用するユーザからメニューをカスタマイズして基本機能のみ使用したいユーザ、全機能を表示させて使用したいユーザまで、すべてのユーザに対応可能な携帯通信端末１０の機能メニューを実現することができる。【００６６】
本実施例では、初期起動時にユーザが使用モードを選択することによって、マニュアルを熟読するまでもなく使用可能な携帯通信端末１０の基本機能（上記のように、通話、メール、カメラ）のみを使いやすい状態としている。【００６７】
本実施例では、初期起動時に「シンプルモード」を選択すると、音声補助等によってアドレス帳から指定アドレスを選択する作業をより簡単に設定した「かんたん通話」機能、「かんたんメール」機能を利用することができる。また、本実施例では、カメラを使用する際に、ＡＦやフラッシュ、コントラスト、画面サイズ等の詳細設定が必要となるが、自動で設定してくれる「かんたんカメラ」機能を備え、説明書を読むまでもなく、ユーザが何も気にすることなく、簡単に写真を撮ることができる。【００６８】
なおかつ、本実施例では、「シンプルモード」の使用時に、他の機能や携帯通信端末１０のボタンに使わない機能が多いため、それらモジュールやボタンを完全にＯＦＦにしてしまうことによって、消費電力を低減することができるというメリットもある。【００６９】
また、本実施例では、「カスタムモード」の選択時に、ユーザ自身が使用したい機能のみを拡張モジュール２２から選択することができる。多くのユーザは、携帯電話機に使わない機能を表示したまま使用しており、使用したい機能を呼び出すのに苦労してしまうことがある。そこで、本実施例では、必要機能のみを取捨選択することによって、使用しない機能を表示させないシンプルなメニューを提供することができる。この場合、従来のようにすべての機能を表示させることも可能である。【００７０】
上記のように、本実施例では、基本機能のみを必要とするユーザから、使用する機能を取捨選択して使いやすいメニューをカスタマイズするユーザ、すべての機能を表示して使用するヘビーユーザまで、すべてのユーザに向けた携帯通信端末とすることができる。【００７１】
次に、ポインタ機能を連携して利用する効果について説明する。待ち受け画面４０からポインタ機能を起動すると同時に、メニュー画面３５を起動する。メニュー画面３５は既に、ユーザが必要な機能のみを備えており、ユーザは直感的に矢印を使いたい機能に合わせるのみで設定機能を利用することができる。【００７２】
現在、あまり高機能を必要としないユーザは、十字キーと中央の決定キーを使ってアイコンを選択する従来の携帯電話機のメニュー画面を使いこなせていない。これは使用するボタンが多く、どういった操作をすればよいかわからないためである。【００７３】
ポインタ機能は、アイコンの選択から決定まで、ただ一つのボタンを用いて行うことが可能であり、そのような高機能を必要としないユーザにとっても大変分かりやすい機能である。尚、かつ、メニュー画面３５はユーザ向けにカスタマイズされているため、携帯通信端末１０の基本機能（通話、メール、カメラ）のみを利用したいユーザも、マニュアルを必要とせずに簡単に携帯通信端末１０を使いこなすことができる。【００７４】
「シンプルモード」にて、「かんたん通話」機能を利用する際のメニューを図９に示す。着信時、メニュー画面４１に示すように、通話をポインタ機能（エニーキーアンサーも選択可能）で開始し、通話中も、メニュー画面４２に示すように、音量の大、小をポインタ機能で設定することができる。「かんたん通話」機能の開始時には、メニュー画面４３に示すように、音声を用いたアドレス検索から通話を開始することも可能であり、ユーザに大変使いやすい設定となっている。
【産業上の利用可能性】
【００７５】
本発明は、数多くの機能とメニューを持つ電子機器で、その使用対象が非常に多くのユーザ層をカバーするものであり、メニューをカスタマイズすることで、「Ａｌｌ  ｉｎ  ｏｎｅ  ｂｕｔ  ｓｉｍｐｌｅ」を実現できる携帯通信端末に適用可能である。これによって、本発明では、内蔵される機能をメニュー表示から外し、ユーザそれぞれに最も適したメニューを実現可能な電子機器を提供することが可能となる。
【図面の簡単な説明】
【００７６】
【図１】本発明の一実施例による携帯通信端末の構成例を示すブロック図である。
【図２】本発明の一実施例による携帯通信端末の具体的な構成例を示すブロック図である。
【図３】図１の基本モジュールの具体例を示すブロック図である。
【図４】本発明の一実施例による拡張モジュールにおける使用機能の取捨選択を示す図である。
【図５】本発明の一実施例による携帯通信端末の初期起動時のメニュー表示処理を示すフロートチャートである。
【図６】本発明の一実施例による携帯通信端末の使用モード選択処理を示すフロートチャートである。
【図７】図７は本発明の一実施例による携帯通信端末のメニュー表示処理を示す図である。
【図８】本発明の一実施例による携帯通信端末の再設定時のメニュー表示処理を示すフロートチャートである。
【図９】本発明の一実施例による携帯通信端末の「かんたん通話」機能を説明するための図である。
【符号の説明】
【００７７】
１    入力装置
２    記憶装置
３    出力装置
１０    携帯通信端末
１１    アンテナ
１２    無線部
１３    制御部
１４    キー入力部
１５    マイク
１６    表示部
１７    スピーカ
１８    カメラ部
２１    基本モジュール
２２    拡張モジュール
２１１    シンプルモード用の基本モジュール
２１２    カスタムモード用の基本モジュール
【図１】
2007072664.tif 000003
【図２】
2007072664.tif 000004
【図３】
2007072664.tif 000005
【図４】
2007072664.tif 000006
【図５】
2007072664.tif 000007
【図６】
2007072664.tif 000008
【図７】
2007072664.tif 000009
【図８】
2007072664.tif 000010
【図９】
2007072664.tif 000011
【国際調査報告】
2007072664.tif 000012
2007072664.tif 000013
2007072664.tif 000014